(57)【要約】【課題】失禁した時や生理時に、吸水性パットから漏れてパンツが汚れても、パンティーストッキングやタイツ、ズボンを全部脱がなくても立ったままで、ひざ上まで少し下げるだけで簡単に取り替えることができるパンツを提供するものである。【解決手段】前身頃２と後身頃３の片側を連結して他方を分離可能とし、後身頃３の下部に股下部４を取付けて前身頃２の下部と分離可能とし、この股下部４の内側面に吸水性パット５の取付部６を形成し、前身頃２と後身頃３の分離可能な両側に、互いに着脱する面ファスナー７Ａ、７Ｂを取付けると共に、前身頃２と股下部４の分離可能な下端に互いに着脱する面ファスナー８Ａ、８Ｂを取付けたものである。【選択図】  図１
0003123793.tif 000002
【実用新案登録請求の範囲】
【請求項１】
前身頃と後身頃の片側を連結して他方を分離可能とし、後身頃の下部に股下部を取付けて前身頃の下部と分離可能とし、この股下部の内側面に吸水性パットの取付部を形成し、前記前身頃と後身頃の分離可能な両側に、互いに着脱する面ファスナーを取付けると共に、前記前身頃と股下部の分離可能な下端に互いに着脱する面ファスナーを取付けたことを特徴とするパンツ。
【考案の詳細な説明】
【技術分野】
【０００１】
本考案は、交換が容易な失禁用や生理用のパンツに関するものである。
【背景技術】
【０００２】
中年から老年になると、くしゃみや重い物を持って力んだ時に、失禁することがあり、特に女性の場合には尿道が短いため失禁し易い問題がある。また女性には生理があり、生理時には血液やおりものがでる。
【０００３】
従来は、尿漏れや血液の漏れを防ぐために、吸水性や保水性の材料で形成した吸水性パットをパンツに挟み込んで使用している。しかし吸水性パットから染み出してパンツまで汚れると、一番下に着けているパンツを取り替えるのに、パンティーストッキングやタイツ、ズボンなどの下着を全部脱がなければならなかった。また冬には重ね着をしているので下着を全部脱いで取り替えることが面倒であり、特に外出先での取り替えが面倒であった。
【考案の開示】
【考案が解決しようとする課題】
【０００４】
本考案は上記問題を改善し、失禁した時や生理時に、吸水性パットから漏れてパンツが汚れても、パンティーストッキングやタイツ、ズボンなどの下着を全部脱がなくても、立ったままでひざ上まで少し下げるだけで簡単に取り替えることができるパンツを提供するものである。
【課題を解決するための手段】
【０００５】
本考案の請求項１記載のパンツは、前身頃と後身頃の片側を連結して他方を分離可能とし、後身頃の下部に股下部を取付けて前身頃の下部と分離可能とし、この股下部の内側面に吸水性パットの取付部を形成し、前記前身頃と後身頃の分離可能な両側に、互いに着脱する面ファスナーを取付けると共に、前記前身頃と股下部の分離可能な下端に互いに着脱する面ファスナーを取付けたことを特徴とするものである。
【考案の効果】
【０００６】
本考案に係る請求項１記載のパンツによれば、吸水性パットを取付部に取付けてから立ったままで下着をひざ上まで下げて、後身頃をでん部に巻き付けて、前身頃を腹側に廻して後身頃の片側に取付けた一方の面ファスナーと、前身頃の片側前面に取付けた他方の面ファスナーとを接着する。次に後身頃の下部に取付けた股下部を股下を通して腹側に廻して、その下部に取付けた一方の面ファスナーと、前身頃の下部前面に取付けた他方の面ファスナーとを接着してパンツを形成してから、下着を腰まで引き上げる。
【０００７】
くしゃみや重い物を持って力んで失禁したり、生理時に血が漏れてパンツまで濡れた時には、立ったままで下着をひざ上まで下げて、面ファスナーを剥すことにより分離されて一枚の布状になるので容易に取り外すことができ、交換も同様に簡単に行なうことができる。
【考案を実施するための最良の形態】
【０００８】
以下本考案の実施の一形態を図１ないし図３を参照して詳細に説明する。図において１はパンツを示すもので、使用者の肌に密着して正面側となる前身頃２と背面側となる後身頃３の片側を縫い合わせて連結し、他方側が分離可能となっている。また後身頃３の下部に股下部４を取付けて前身頃２の下部と分離可能となって、全体として一枚の布状に形成されている。また股下部４の内側面には吸水性パット５の取付部６が形成されている。
【０００９】
また前身頃２の分離可能な片側前面には硬質のプラスチックで形成されたフックを一面に突設した一方の面ファスナー７Ａが縦方向に取付けられ、これと対応する軟質のプラスチックで形成されたループを一面に突設した他方の面ファスナー７Ｂが後身頃３の分離可能な片側の内面に取付けられている。
【００１０】
また前身頃２の分離可能な下部前面には硬質のプラスチックで形成されたフックを一面に突設した一方の面ファスナー８Ａが横方向に取付けられ、これと対応する軟質のプラスチックで形成されたループを一面に突設した他方の面ファスナー８Ｂが股下部４の分離可能な下部内面に横方向に取付けられている。
【００１１】
上記構成のパンツ１を使用する時には、先ず吸水性パット５を取付部６に接着し、ズボンやタイツ、パンティーストッキングなどの下着を立ったままでひざ上まで下げる。次に後身頃３をでん部に巻き付けて、前身頃２を腹側に廻して後身頃３の片側に取付けた他方の面ファスナー７Ｂを、前身頃２の片側前面に取付けた一方の面ファスナー７Ａと合わせて接着して図２の状態にする。
【００１２】
次に後身頃３の下部に取付けた股下部４を股下を通して腹側に廻して、その下部に取付けた他方の面ファスナー８Ｂを、前身頃２の下部前面に取付けた一方の面ファスナー８Ａと合わせて接着し、図３に示すように吸水性パット５を装着したパンツ１とする。この後、タイツやパンティーストッキング、ズボンの順に腰まで引上げる。
【００１３】
このようにパンツ１を履いて、通常の生活をする。外出などをした時にくしゃみや重い物を持って力んで失禁することがある。少量の場合には吸水性パット５で吸収できるが、量が多かったり吸水性パット５がずれていたりするとパンツ１まで濡れることがある。
【００１４】
このような場合には、トイレに入って立ったままで、パンティーストッキングやタイツ、ズボンをひざ上まで下げて、面ファスナー７Ａ、７Ｂと面ファスナー８Ａ、８Ｂを剥して分離すると、図１に示すように一枚の布状になるので容易に引出すことができる。この後、持参した交換用のパンツ１に吸水性パット５を取付けて、前述と同様にパンツ１を取付けてから、下着を引き上げる。
【００１５】
従って、従来のように、下着を全部脱がなくても立ったままで簡単にパンツ１を交換することができるので、特に外出先では短時間で簡単に交換することができる。また硬質のプラスチックで形成されたフックを一面に突設した一方の面ファスナー７Ａ、８Ａは、肌に接しない前身頃２の正面側に取付けられ、取付け取外し時に肌に接触する他方の面ファスナー７Ｂ、８Ｂは、軟質のプラスチックで形成されたループを一面に突設した構造なので肌に接触しても痛くない。
【産業上の利用可能性】
【００１６】
なお上記説明では失禁用のパンツとして利用する場合について説明したが、生理用としても同様に使用することができる。
【図面の簡単な説明】
【００１７】
【図１】本考案の実施の一形態によるパンツを分離して広げた状態を示す正面図である。
【図２】図１の前身頃と後身頃を接着した状態のパンツを示す斜視図である。
【図３】図２の状態から股下部と前身頃を接着した状態のパンツを示す斜視図である。
【符号の説明】
【００１８】
１    パンツ                                                
２    前身頃                                                
３    後身頃                                                
４    股下部                                                
５    吸水性パット                                          
６    取付部                                                
７Ａ、７Ｂ  面ファスナー                                    
８Ａ、８Ｂ  面ファスナー                                    
【図１】
0003123793.tif 000003
【図２】
0003123793.tif 000004
【図３】
0003123793.tif 000005